(57)【要約】【課題】  メイン開閉バルブを閉め、第一の管と第二の管との間の連通を遮断している間であっても、第一の管及び第二の管の各々のガス抜きを可能にするパイプ接続ユニットを提供する。【解決手段】  パイプ接続ユニット（２００）は第一の管（２１０）と第二の管（２２０）との間に接続される。前記パイプ接続ユニット（２００）には、前記第一の管（２１０）と前記第二の管（２２０）との間の流れを許容又は停止するメイン開閉バルブ（２３０）と、前記メイン開閉バルブ（２３０）と前記第一の管（２１０）との間に配置されている第一補助開閉バルブ（２５０）と、前記メイン開閉バルブ（２３０）と前記第二の管（２２０）との間に配置されている第二補助開閉バルブ（２６０）とを備えている。【選択図】    図１
0003116724.tif 000002
【実用新案登録請求の範囲】
【請求項１】
第一の管と第二の管との間に接続され、前記第一の管と前記第二の管とを相互に接続するパイプ接続ユニットであって、
前記パイプ接続ユニットには、前記第一の管と前記第二の管との間の流れを許容又は停止するメイン開閉バルブが配置されており、
前記メイン開閉バルブと前記第一の管との間には第一補助開閉バルブが配置され、
前記メイン開閉バルブと前記第二の管との間には第二補助開閉バルブが配置されていることを特徴とするパイプ接続ユニット。
【請求項２】
前記第一補助開閉バルブ及び前記第二補助開閉バルブは前記メイン開閉バルブよりも開口径が小さいことを特徴とする請求項１に記載のパイプ接続ユニット。
【考案の詳細な説明】
【技術分野】
【０００１】
本考案は、パイプラインの途中に配設するパイプ接続ユニットに関する。
【背景技術】
【０００２】
現在では、流体（上下水道、空気その他の気体、冷温水、オイルなど）の連続的な搬送はパイプラインによって行われている。
【０００３】
パイプラインを永年使用していると、パイプラインの内部には残さが堆積し、パイプラインが詰まる原因となるので、定期的にパイプラインを清掃することが必要である。このように、パイプラインの内部の清掃を行う場合には、パイプラインの内部を流れる流体を一時的に止めなければならない。
【０００４】
図２は、従来のパイプ接続ユニットを備えたパイプラインの概略図である。
【０００５】
図２に示すように、従来のパイプ接続ユニット１００は、それぞれパイプラインの一部をなしている第一の管１１０と第二の管１２０との間に接続され、第一の管１１０と第二の管１２０とを相互に接続している。パイプ接続ユニット１００には、第一の管１１０と第二の管１２０との間の流れを許容又は停止するメイン開閉バルブ１３０が配置されている。例えば、メイン開閉バルブ１３０にはハンドル１４０が取り付けられており、ハンドル１４０を一方向に回転させると、メイン開閉バルブ１３０が閉まり、第一の管１１０と第二の管１２０との間の連通が遮断される。また、ハンドル１４０を逆方向に回転させると、メイン開閉バルブ１３０が開き、第一の管１１０と第二の管１２０との間が連通する。
【考案の開示】
【考案が解決しようとする課題】
【０００６】
メイン開閉バルブ１３０を閉め、第一の管１１０と第二の管１２０との間の連通を遮断している間においても、第一の管１１０及び第二の管１２０の各々には、ガスが発生することがある。仮に、そのようなガスが多量に発生した場合には、ガス抜きを行うことが必要になるが、図２に示した従来のパイプ接続ユニットでは不可能であった。
【０００７】
本考案はこのような従来のパイプ接続ユニットにおける問題点に鑑みてなされたものであり、メイン開閉バルブ１３０を閉め、第一の管１１０と第二の管１２０との間の連通を遮断している間であっても、第一の管１１０及び第二の管１２０の各々のガス抜きを可能にするパイプ接続ユニットを提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【０００９】
本考案は、第一の管（２１０）と第二の管（２２０）との間に接続され、前記第一の管（２１０）と前記第二の管（２２０）とを相互に接続するパイプ接続ユニット（２００）であって、前記パイプ接続ユニット（２００）には、前記第一の管（２１０）と前記第二の管（２２０）との間の流れを許容又は停止するメイン開閉バルブ（２３０）が配置されており、前記メイン開閉バルブ（２３０）と前記第一の管（２１０）との間には第一補助開閉バルブ（２５０）が配置され、前記メイン開閉バルブ（２３０）と前記第二の管（２２０）との間には第二補助開閉バルブ（２６０）が配置されていることを特徴とするパイプ接続ユニット（２００）を提供する。
【００１０】
前記第一補助開閉バルブ（２５０）及び前記第二補助開閉バルブ（２６０）は前記メイン開閉バルブ（２３０）よりも開口径が小さいことが好ましい。
【考案の効果】
【００１１】
本考案に係るパイプ接続ユニットによれば、メイン開閉バルブを閉め、第一の管と第二の管との間の連通を遮断している間であっても、第一補助開閉バルブを開くことにより、メイン開閉バルブを閉じた場合に第一の管の内部に溜まるガスを第一の管から抜くことができ、また、第二補助開閉バルブを開くことにより、メイン開閉バルブを閉じた場合に第二の管の内部に溜まるガスを第二の管から抜くことができる。すなわち、第一の管及び第二の管の各々のガス抜きを相互に独立に行うことができる。
【考案を実施するための最良の形態】
【００１２】
図１は、本考案の一実施形態に係るパイプ接続ユニット２００を備えたパイプラインの概略図である。
【００１３】
図１に示すように、パイプ接続ユニット２００は、それぞれパイプラインの一部をなしている第一の管２１０と第二の管２２０との間に接続され、第一の管２１０と第二の管２２０とを相互に接続している。
【００１４】
パイプ接続ユニット２００には、メイン開閉バルブ２３０と、第一補助開閉バルブ２５０と、第二補助開閉バルブ２６０と、が設けられている。
【００１５】
メイン開閉バルブ２３０は、第一の管２１０と第二の管２２０との間の流れを許容又は停止する。例えば、メイン開閉バルブ２３０にはハンドル２４０が取り付けられており、ハンドル２４０を一方向に回転させると、メイン開閉バルブ２３０が閉まり、第一の管２１０と第二の管２２０との間の連通が遮断される。また、ハンドル２４０を逆方向に回転させると、メイン開閉バルブ２３０が開き、第一の管２１０と第二の管２２０との間が連通する。
【００１６】
第一補助開閉バルブ２５０はメイン開閉バルブ２３０と第一の管２１０との間に配置されおり、第一補助開閉バルブ２５０を開くことにより、メイン開閉バルブ２３０を閉じた場合に第一の管２１０の内部に溜まるガスを第一の管２１０から抜くことができる。
【００１７】
第二補助開閉バルブ２６０はメイン開閉バルブ２３０と第二の管２２０との間に配置されおり、第二補助開閉バルブ２６０を開くことにより、メイン開閉バルブ２３０を閉じた場合に第二の管２２０の内部に溜まるガスを第二の管２２０から抜くことができる。
【００１８】
以上のような構成を有する本実施形態に係るパイプ接続ユニット２００によれば、メイン開閉バルブ２３０を閉め、第一の管２１０と第二の管２２０との間の連通を遮断している間であっても、第一の管２１０及び第二の管２２０の各々のガス抜きを相互に独立に行うことができる。
【００１９】
なお、本実施形態においては、メイン開閉バルブ２３０はハンドル２４０を用いて手動で開閉するものとしたが、メイン開閉バルブ２３０の構造はこれには限定されない。例えば、電気的に開閉を行う電磁バルブを用いることもできる。
【００２０】
また、第一補助開閉バルブ２５０及び第二補助開閉バルブ２６０の構造も限定されない。第一補助開閉バルブ２５０及び第二補助開閉バルブ２６０として、手動式バルブあるいは電磁バルブその他任意の形式のバルブを用いることができる。
【００２１】
また、メイン開閉バルブ２３０の開口径と第一補助開閉バルブ２５０及び第二補助開閉バルブ２６０の各開口径との大小は任意であるが、第一補助開閉バルブ２５０及び第二補助開閉バルブ２６０の各開口径がメイン開閉バルブ２３０の開口径よりも小さいことが好ましい。
【００２２】
例えば、メイン開閉バルブ２３０が５０ｍｍ、８０ｍｍ、１００ｍｍの開口径を有している場合には、例えば、第一補助開閉バルブ２５０及び第二補助開閉バルブ２６０の開口径としては、それぞれ２０ｍｍ、２５ｍｍ、３０ｍｍが選択される。
【図面の簡単な説明】
【００２３】
【図１】本考案の一実施形態に係るパイプ接続ユニットを備えたパイプラインの概略図である。
【図２】従来のパイプ接続ユニットを備えたパイプラインの概略図である。
【符号の説明】
【００２４】
２００  本考案の一実施形態に係るパイプ接続ユニット
２１０  第一の管
２２０  第二の管
２３０  メイン開閉バルブ
２４０  ハンドル
２５０  第一補助開閉バルブ
２６０  第二補助開閉バルブ
【図１】
0003116724.tif 000003
【図２】
0003116724.tif 000004